(57)【要約】ビデオ画像中に現れる物体のカラーを補正する装置が公開される。この装置は、１）入ってくるベースバンドビデオ信号から第一ビデオフレームを受信し記憶することができるフレームバッファと、２）複数の既知のアイコンに対応する既知のピクセルデータを記憶することができるメモリであって、前記既知のピクセルデータが前記複数の既知のアイコンに関連した真のカラーデータ値を有する当該メモリと、３）前記の記憶された第一ビデオフレームからキャプチャされたピクセルデータと前記メモリに記憶された前記の既知のピクセルデータとを比較し、前記の記憶された第一ビデオフレームに現れる第一の既知のアイコンの第一の実際の画像を検知することができるカラー補正コントローラと、を有する。前記カラー補正コントローラは更に、前記の第一の既知のアイコンに関連した第一の真のカラーデータ値と前記の第一の既知のアイコンの前記の第一の実際の画像における第一の実際のカラーに関連した第一の実際のカラーデータ値とを比較する。当該比較に応答して、前記カラーコントローラは前記の第一の実際のカラーデータ値に関連した第一カラー補正係数を決定する。【特許請求の範囲】
【請求項１】
ビデオ画像中に現れる物体のカラーを補正する装置であって、
入ってくるベースバンドビデオ信号から第一ビデオフレームを受信し記憶することができるフレームバッファと、
複数の既知のアイコンに対応する既知のピクセルデータを記憶することができるメモリであって、前記既知のピクセルデータが前記複数の既知のアイコンに関連した真のカラーデータ値を有する当該メモリと、
前記の記憶された第一ビデオフレームからキャプチャされたピクセルデータと前記メモリに記憶された前記の既知のピクセルデータとを比較し、前記の記憶された第一ビデオフレームに現れる第一の既知のアイコンの第一の実際の画像を検知することができるカラー補正コントローラであって、当該カラー補正コントローラが更に、前記の第一の既知のアイコンに関連した第一の真のカラーデータ値と前記の第一の既知のアイコンの前記の第一の実際の画像における第一の実際のカラーに関連した第一の実際のカラーデータ値とを比較し、当該比較に応答して、前記の第一の実際のカラーデータ値に関連した第一カラー補正係数を決定することができる、当該カラー補正コントローラと、
を有することを特徴とする装置。
【請求項２】
請求項１に記載の装置であって、前記カラー補正コントローラが、前記第一カラー補正係数を使用して、前記の記憶された第一ビデオフレームの前記の第一の実際の画像の第一の前記の実際のカラーデータ値を補正することを特徴とする装置。
【請求項３】
請求項２に記載の装置であって、前記カラー補正コントローラが、前記の記憶された第一ビデオフレーム中に、前記の第一の実際のカラーデータ値と実質的に等しい、自身に関連した第二の実際のカラーデータ値を持つ第一の未知の物体を識別し、前記カラー補正コントローラが、前記第一カラー補正係数を使用して、前記の記憶された第一ビデオフレーム中の前記の第一の未知の物体の前記の第二の実際のカラーデータ値を補正することを特徴とする装置。
【請求項４】
請求項３に記載の装置であって、前記カラー補正コントローラが、前記第一カラー補正係数から、第三の実際のカラーデータ値に関連した第二カラー補正係数を決定することができることを特徴とする装置。
【請求項５】
請求項４に記載の装置であって、前記カラー補正コントローラが、前記の記憶された第一ビデオフレーム中に、前記の第三の実際のカラーデータ値と実質的に等しい、自身に関連した第四の実際のカラーデータ値を持つ第二の未知の物体を識別し、前記カラー補正コントローラが、前記の記憶された第一ビデオフレーム中の前記の第二の未知の物体の前記の第四の実際のカラーデータ値を補正するために前記の第二カラー補正係数を使用することを特徴とする装置。
【請求項６】
入ってくる無線周波数（ＲＦ）信号を受信し、当該信号から、入ってくるベースバンドビデオ信号を発生させることができるトランシーバ回路と、
前記の入ってくるベースバンドビデオ信号から第一ビデオフレームを受信し記憶することができるフレームバッファと、
複数の既知のアイコンに対応する既知のピクセルデータを記憶することができるメモリであって、前記既知のピクセルデータが前記複数の既知のアイコンに関連した真のカラーデータ値を有する当該メモリと、
前記の記憶された第一ビデオフレームからキャプチャされたピクセルデータと前記メモリに記憶された前記の既知のピクセルデータとを比較し、前記の記憶された第一ビデオフレームに現れる第一の既知のアイコンの第一の実際の画像を検知することができるカラー補正コントローラであって、当該カラー補正コントローラが更に、前記の第一の既知のアイコンに関連した第一の真のカラーデータ値と前記の第一の既知のアイコンの前記の第一の実際の画像における第一の実際のカラーに関連した第一の実際のカラーデータ値とを比較し、当該比較に応答して、前記の第一の実際のカラーデータ値に関連した第一カラー補正係数を決定することができる、当該カラー補正コントローラと、
前記の第一ビデオフレームを表示するディスプレイ画面と、
を有するテレビセット。
【請求項７】
請求項６に記載のテレビセットであって、前記カラー補正コントローラが、前記第一カラー補正係数を使用して、前記の記憶された第一ビデオフレームの前記の第一の実際の画像の第一の前記の実際のカラーデータ値を補正することを特徴とするテレビセット。
【請求項８】
請求項７に記載のテレビセットであって、前記カラー補正コントローラが、前記の記憶された第一ビデオフレーム中に、前記の第一の実際のカラーデータ値と実質的に等しい、自身に関連した第二の実際のカラーデータ値持つ第一の未知の物体を識別し、前記カラー補正コントローラが、前記第一カラー補正係数を使用して、前記の記憶された第一ビデオフレーム中の前記の第一の未知の物体の前記の第二の実際のカラーデータ値を補正することを特徴とするテレビセット。
【請求項９】
ビデオ画像中に現れる物体のカラーを補正する方法であって、
フレームバッファが、入ってくるベースバンドビデオ信号から第一ビデオフレームを受信し記憶するステップと、
複数の既知のアイコンに対応する既知のピクセルデータをメモリに記憶し、前記既知のピクセルデータは前記複数の既知のアイコンに関連した真のカラーデータ値を有するステップと、
前記の記憶された第一ビデオフレームからキャプチャされたピクセルデータと前記メモリに記憶された前記の既知のピクセルデータとを比較するステップと、
前記の記憶された第一ビデオフレームに現れる第一の既知のアイコンの第一の実際の画像を検知するステップと、
前記の第一の既知のアイコンに関連した第一の真のカラーデータ値と前記の第一の既知のアイコンの前記の第一の実際の画像における第一の実際のカラーに関連した第一の実際のカラーデータ値とを比較するステップと、
当該比較に応答して、前記の第一の実際のカラーデータ値に関連した第一カラー補正係数を決定するステップと、
を有する方法。
【請求項１０】
ディスプレイ画面を持つ処理システムで使用される、ビデオ画像中に現れる物体のカラーを補正するための、コンピュータが読み取り可能な記憶媒体に記憶されたコンピュータが実行可能な命令であって、当該コンピュータが実行可能な命令が、
フレームバッファが、入ってくるベースバンドビデオ信号から第一ビデオフレームを受信し記憶するステップと、
複数の既知のアイコンに対応する既知のピクセルデータをメモリに記憶し、前記既知のピクセルデータは前記複数の既知のアイコンに関連した真のカラーデータ値を有するステップと、
前記の記憶された第一ビデオフレームからキャプチャされたピクセルデータと前記メモリに記憶された前記の既知のピクセルデータとを比較するステップと、
前記の記憶された第一ビデオフレームに現れる第一の既知のアイコンの第一の実際の画像を検知するステップと、
前記の第一の既知のアイコンに関連した第一の真のカラーデータ値と前記の第一の既知のアイコンの前記の第一の実際の画像における第一の実際のカラーに関連した第一の実際のカラーデータ値とを比較するステップと、
当該比較に応答して、前記の第一の実際のカラーデータ値に関連した第一カラー補正係数を決定するステップと、
を有することを特徴とする命令。
【請求項１１】
請求項１０に記載の、コンピュータが読み取り可能な記憶媒体に記憶されたコンピュータが実行可能な命令であって、当該命令が更に、前記第一カラー補正係数を使用して、前記の記憶された第一ビデオフレームの前記の第一の実際の画像の第一の前記の実際のカラーデータ値を補正することを特徴とする命令。
【請求項１２】
請求項１１に記載の、コンピュータが読み取り可能な記憶媒体に記憶されたコンピュータが実行可能な命令であって、当該命令が更に、
前記の記憶された第一ビデオフレーム中に、前記の第一の実際のカラーデータ値と実質的に等しい、自身に関連した第二の実際のカラーデータ値を持つ、第一の未知の物体を識別し、
前記第一カラー補正係数を使用して、前記の記憶された第一ビデオフレーム中の前記の第一の未知の物体の前記の第二の実際のカラーデータ値を補正することを特徴とする命令。
【発明の詳細な説明】
【０００１】
【発明の属する技術分野】
本発明は、大まかにはビデオ処理システムを対象とし、より詳細には、ビデオ画像中のカラー劣化及び他の信号劣化を補正するための装置及び方法を対象とする。
【０００２】
【従来の技術】
テレビ画面又はパソコン（ＰＣ）のモニタディスプレイに表示されたビデオ画像のカラーには、種々の原因からしばしば場面ごとに違いが現れる。場面によらず一定のカラーを保持するためには、全てのカメラ、及び、テレビ受信機すらも同一の測色規格に設定されなければならない。しばしばこれは十分な注意をもってなされず、カラーに目に見えて分かる変化が現れる。この結果、番組のカラーは、テレビ受信機で見たとき、受信機によって、また、同一の受信機であっても時間によって、大きく変化することになる。
【０００３】
【発明が解決しようとする課題】
従って、ビデオ画像中で場面によらず一定のカラーを保持するための、改良されたシステム及び方法が、技術に必要とされている。特に、テレビ受信機、パソコン、及びビデオカセットレコーダ等で使用される、ビデオ画像中の場面ごとのカラーの違いを補正するカラー補正装置が必要である。更に特定すると、ビデオ画像中の物体のカラーをこれらの物体の真のカラーと合わせるように補正する、カラー補正装置が必要である。
【０００４】
【課題を解決するための手段】
先行技術における上述の欠点に対処するため、本発明の主要な目的は、ビデオ画像中に現れる物体のカラーを補正する装置を提供することである。本発明の有利な実施例において、本装置は、１）入ってくるベースバンドビデオ信号から第一ビデオフレームを受信し記憶することができるフレームバッファと、２）複数の既知のアイコンに対応する既知のピクセルデータを記憶することができるメモリであって、前記既知のピクセルデータが前記複数の既知のアイコンに関連した真のカラーデータ値を有する当該メモリと、３）前記の記憶された第一ビデオフレームからキャプチャされたピクセルデータと前記メモリに記憶された前記の既知のピクセルデータとを比較し、前記の記憶された第一ビデオフレームに現れる第一の既知のアイコンの第一の実際の画像を検知することができるカラー補正コントローラであって、当該カラー補正コントローラが更に、前記の第一の既知のアイコンに関連した第一の真のカラーデータ値と前記の第一の既知のアイコンの前記の第一の実際の画像における第一の実際のカラーに関連した第一の実際のカラーデータ値とを比較し、当該比較に応答して、前記の第一の実際のカラーデータ値に関連した第一カラー補正係数を決定することができる、当該カラー補正コントローラと、を有する。
【０００５】
本発明の一つの実施例によると、前記カラー補正コントローラは、前記第一カラー補正係数を使用して、前記の記憶された第一ビデオフレームの前記の第一の実際の画像の第一の前記の実際のカラーデータ値を補正する。
【０００６】
本発明の他の実施例によると、前記カラー補正コントローラは、前記の記憶された第一ビデオフレーム中に、前記の第一の実際のカラーデータ値と実質的に等しい、自身に関連した第二の実際のカラーデータ値を持つ、第一の未知の物体を識別し、前記カラー補正コントローラが、前記第一カラー補正係数を使用して、前記の記憶された第一ビデオフレーム中の前記の第一の未知の物体の前記の第二の実際のカラーデータ値を補正する。
【０００７】
本発明の更に他の実施例によると、前記カラー補正コントローラは、前記第一カラー補正係数から、第三の実際のカラーデータ値に関連した第二カラー補正係数を決定することができる。
【０００８】
本発明の更に他の実施例によると、前記カラー補正コントローラは、前記の記憶された第一ビデオフレーム中に、前記の第三の実際のカラーデータ値と実質的に等しい、自身に関連した第四の実際のカラーデータ値を持つ、第二の未知の物体を識別し、前記カラー補正コントローラが、前記の記憶された第一ビデオフレーム中の前記の第二の未知の物体の前記の第四の実際のカラーデータ値を補正するために前記の第二カラー補正係数を使用する。
【０００９】
上記は、当業者が以下の本発明の詳細な説明をより良く理解することができるよう、本発明の特徴及び技術的利点をかなり広く概説したものである。本発明の請求項の対象となる本発明の追加の特徴及び利点は、以下で説明される。当業者は、本発明と同一の目的で実行される他の構造を修正又は設計するのに公開された概念及び特定の実施例を容易に用いることができることを評価すべきである。当業者は、このような同等の構成は、本発明の最も広い形式において本発明の精神及び範囲から逸脱しないということも認識すべきである。
【００１０】
発明の詳細な説明に着手する前に、本特許明細書を通じて用いられる特定の単語及び語句の定義を示すのが有利であるかもしれない。すなわち、「包含する（ｉｎｃｌｕｄｅ）」及び「有する（ｃｏｍｐｒｉｓｅ）」という単語並びにその派生語は、制限無しの包含を意味し、「又は（ｏｒ）」という単語は包含的である、つまり及び／又はを意味し、「〜に関連する（ａｓｓｏｃｉａｔｅｄ ｗｉｔｈ）」及び「〜に関連する（ａｓｓｏｃｉａｔｅｄ ｔｈｅｒｅｗｉｔｈ）」並びにその派生語は、〜を包含する（ｔｏ ｉｎｃｌｕｄｅ）、〜に包含される（ｂｅ ｉｎｃｌｕｄｅｄ ｗｉｔｈｉｎ）、〜と相互接続する（ｉｎｔｅｒｃｏｎｎｅｃｔ ｗｉｔｈ）、〜を含む（ｃｏｎｔａｉｎ）、〜に含まれる（ｂｅ ｃｏｎｔａｉｎｅｄ ｗｉｔｈｉｎ）、〜に接続する（ｃｏｎｎｅｃｔ ｔｏ ｏｒ ｗｉｔｈ）、〜に結合される（ｃｏｕｐｌｅ ｔｏ ｏｒ ｗｉｔｈ）、〜と通信可能である（ｂｅ ｃｏｍｍｕｎｉｃａｂｌｅ ｗｉｔｈ）、〜と共動する（ｃｏｏｐｅｒａｔｅ ｗｉｔｈ）、インターリーブする（ｉｎｔｅｒｌｅａｖｅ）、並置する（ｊｕｘｔａｐｏｓｅ）、〜と近接している（ｂｅ ｐｒｏｘｉｍａｔｅ ｔｏ）、〜に結び付いている（ｂｅ ｂｏｕｎｄ ｔｏ ｏｒ ｗｉｔｈ）、持つ（ｈａｖｅ）、〜の特性を持つ（ｈａｖｅ ａ ｐｒｏｐｅｒｔｙ ｏｆ）、又はこれらに類似したことを意味することができ、「コントローラ（ｃｏｎｔｒｏｌｌｅｒ）」という単語は、少なくとも一つの操作を制御するあらゆる装置、システム、又はこれらの一部を意味し、このような装置は、ハードウェア、ファームウェア、ソフトウェア、又はこれらの少なくとも二つの何らかの組み合わせによって実行することができる。いかなる特定のコントローラに関連した機能でも、局所的に又は遠く離れて、集中化又は分配されることができるということに注意すべきである。特定の単語及び語句の定義は、この特許明細書を通じて提供されており、当業者は、ほとんどの場合でなくとも多くの場合、このような定義は、このような定義された単語及び語句の前及び後の使用にも適用されるということを理解すべきである。
【００１１】
本発明及び本発明の利点のより完全な理解のため、ここで添付の図と併せて用いられる以下の説明が参照され、ここで、同様の番号は同様の物を示す。
【００１２】
【発明の実施の形態】
本特許明細書において、以下で説明される図１乃至４、並びに本発明の原理を説明するために用いられる種々の実施例は、説明を目的とするのみであり、決して本発明の範囲を制限するように解釈されるべきでない。以下の項で、本発明は、二つの例示的な実施例、すなわちパソコン（ＰＣ）及びデジタルテレビセットを用いて説明される。しかし、これは例示を目的とするのみであり、決して本発明の範囲を制限するように解釈されるべきでない。当業者は、本発明は、ビデオカセットレコーダ（ＶＣＲ）、又はＴＩＶＯＴＭシステム若しくはＲＥＰＬＡＹＴＶＴＭシステム等ディスクに基づいたビデオ再生システム等、適切に構成されたあらゆるビデオ処理システムで実行されることができることを理解するであろう。
【００１３】
図１は、本発明の一つの実施例による、ビデオ画像のカラーを補正する、例示的なパソコン（ＰＣ）１００のブロック図である。パソコン１００は、コンパクトディスク（ＣＤ）読取専用メモリ（ＲＯＭ）ドライブ１０２、ハードディスクドライブ（ＨＤＤ）１０３、ディスプレイモニタ１０４、キーボード１０５、中央処理装置（ＣＰＵ）１０６、ランダムアクセスメモリ（ＲＡＭ）１０７、ポインティングデバイス１０８（例えばマウス）、入力／出力（Ｉ／Ｏ）インターフェース（ＩＦ）回路１１０、ビデオ／オーディオインターフェース（ＩＦ）回路１１２及びスピーカ１２０を有する。ＣＤ−ＲＯＭディスクドライブ１０２は、リムーバブルＣＤ−ＲＯＭディスク１２５を受け、読み取ることができる。
【００１４】
ディスプレイモニタ１０４はパソコン１００のためのコンピュータモニタとしての役目を果たす。ディスプレイモニタ１０４は、ブラウン管（ＣＲＴ）画面、液晶表示（ＬＣＤ）画面、フラットパネルディスプレイ画面、プラズマディスプレイ画面、プロジェクションディスプレイ画面、又は画像を表示するのに適したあらゆる他の装置であってよい。ディスプレイモニタ１０４は、色が良く知られており一定であるアイコン１３１及びアイコン１３２などの、既知の認識可能なアイコンを含むことができるビデオ画像を表示する画面１３０を有する。
【００１５】
ハードディスクドライブ１０３は、操作システムプログラム、アプリケーションプログラム及びデータの、保存及び取り出しへの高速アクセスを提供する。キーボード１０５及びポインティングデバイス１０８はＩ／Ｏ ＩＦ回路１１０を通じてパソコン１００に結合されている。ディスプレイモニタ１０４及びスピーカ１２０はビデオ／オーディオＩＦ回路１１２を通じてパソコン１００に結合されている。ＣＤ−ＲＯＭディスクドライブ１０２、ハードディスクドライブ１０３、ＣＰＵ１０６、ＲＡＭ１０７、Ｉ／Ｏ ＩＦ回路１１０及びビデオ／オーディオＩＦ回路１１２を包含するパソコン１００の内部部品は互いに結合されており、通信バス１１５を通じて互いに通信する。
【００１６】
以下でより詳細に説明されるように、ＣＰＵ１０６は、画面１３０に現れる物体のカラーを補正するカラー補正アプリケーションを実行することが可能である。カラー補正アプリケーションはキャプチャされたビデオフレーム中の良く知られた物体を検知し（又は認識し）、良く知られた物体の実際のカラーを、これらの物体の既知の真のカラーと比較することにより、これを達成する。例えば、アイコン１３１は、画面１３０に現れるＣＯＣＡ−ＣＯＬＡＴＭの缶で、アイコン１３２は、ＮＢＣＴＭテレビ番組に現れる「ピーコック（Ｐｅａｃｏｃｋ）」のロゴであってよい。カラー補正アプリケーションは、ストリーミングビデオアプリケーション、ＭＰＥＧ／ＡＶＩプレイヤー、及び、入ってくるＲＦテレビ信号を受信して復調し、ベースバンドビデオ信号を発生させるビデオカード等、ＰＣ１００で実行される、ビデオ信号を発生させるあらゆる他のアプリケーションと併せて動作する。本発明の有利な実施例では、ＣＰＵ１０６により実行されるカラー補正アプリケーションプログラムは、ＣＤ−ＲＯＭ１２５（又は３．５インチリムーバブルディスケット）に記憶されることができる。
【００１７】
加えて、場面の変化を検知し、また、リアルタイムの連続したテレビ画像中で人間の顔を検知する多くの方法が発行されてきた。ほとんどのテレビ番組で顔は一般的に多く現れる物であるので、人間の顔を検知することは多くの公開の対象となってきた。本発明の有利な実施例では、ＣＰＵ１０６は、画面１３０に現れる検知された顔のカラーを補正するカラー補正アプリケーションも実行する。人間の顔の真の色は一般的に幾つかの狭いカラー範囲内に収まるため、これを行うことは可能である。検知された顔のカラーを既知の真のカラーと比較することにより、入ってくる画像中のカラーエラーが検知されることが可能であり、カラー補正係数が計算されることが可能である。
【００１８】
本発明の説明の簡単のため及び本発明の請求項の範囲を規定するため、ここで用いられる「既知のアイコン」という語句は、ネットワークロゴ及び商品の商標などの著名な物並びに既知の人間の顔の色の両方を包含する。
【００１９】
図２は、本発明の一つの実施例による、例示的なパソコン１００中のＲＡＭ１０７のメモリの選択された部分を示す。パソコン１００は既知のコンピュータでありこの実施例で説明されているが、技術的に良く知られているように、異なった操作システム及び異なったハードウェア構成を用いるＡｐｐｌｅのＭａｃｉｎｔｏｓｈＴＭなど多くのコンピュータが存在する。全てのこのような実施例は、ディスプレイを作るのに類似したシステム及びハードウェアを用いる。この好適な実施例において、ＲＡＭ１０７は操作システムプログラム２１０並びにストリーミングビデオアプリケーションプログラム２２０並びにＭＰＥＧ／ＡＶＩプレイヤーアプリケーションプログラム２３０並びにカラー補正アプリケーションプログラム２４０並びにビデオフレームバッファ２５０並びに既知のアイコン及び真のカラーの一覧表２６０を記憶している。
【００２０】
既知のアイコンは、その特徴的な形状及び色から選択される。既知のアイコンの例は、ＮＢＣＴＭ、ＣＢＳＴＭ及びＡＢＣＴＭなどの放送ネットワークのアイコン、並びに、Ｃｏｃａ ＣｏｌａＴＭ及びＩＢＭＴＭなどの企業ロゴ、並びに、ＮＢＡＴＭバスケットボール又はＮＦＬＴＭフットボールなどのテレビ番組のロゴを包含する。Ｃｏｃａ ＣｏｌａＴＭは特定の濃淡の赤色に関連し、ＩＢＭＴＭは特定の濃淡の青色に関連するように、それぞれのアイコンはカラーが一定である。他の色の例であるＮＢＣＴＭのピーコックのロゴのアイコンは、非常に特徴的な形状であり、複数の色を含む。ピクセルマップの形での形状、及び、正確なカラー体系が、既知のアイコン及び真のカラーの一覧表２６０に記憶される。
【００２１】
カラー補正アプリケーション２４０は入ってくる信号からフレームを取り出し、当該フレーム中に、既知のアイコン及び真のカラーの一覧表に記憶された検知可能なアイコン又は形状があるか探す。検知された形状は記憶されたアイコンと比較され、もし前記アイコンが既知であれば、カラー補正アプリケーション２４０は入ってくる信号の色に任意の修正を加え、これをビデオディスプレイへ送信する。正確な形状及び空間的周波数コンテンツが既知であるため、記憶されたアイコンは、カラーエラーを修正する参照信号として用いられることができ、また、周波数ドメイン劣化の修正を提供する。
【００２２】
図３は本発明の一つの実施例によるカラー補正装置を含む例示的なテレビセット３００のブロック図である。テレビセット１００はアンテナ３０５、テレビ受信機３１０及びディスプレイ装置３１５を有する。アンテナ３０５は、テレビ受信機３１０により処理された、入ってくる無線周波数（ＲＦ）テレビ信号を受信する。ディスプレイ装置３１５は、例えばブラウン管、フラットパネルディスプレイ又はビデオ画像を表示するための他のあらゆる種類の装置であってよい。
【００２３】
テレビ受信機３１０は、チューナ３２０、中間周波数（ＩＦ）プロセッサ３２５、「オプションの」ＭＰＥＧ復号器３３０、及びポストプロセシング回路３４０を有する。ＭＰＥＧ復号器３３０は、テレビ受信機３１０がＭＰＥＧ復号器を含まない旧来のアナログのテレビ受信機であるかもしれないため、例示的な実施例ではオプションである。このような実施例では、ＩＦプロセッサ３２５の出力はポストプロセシング回路３４０により直接用いられる。本発明の有利な実施例では、テレビ受信機３１０はフレームバッファ３５０並びにカラー補正コントローラ３６０並びに既知のアイコン及び真のカラーの一覧表３７０を更に有する。
【００２４】
チューナ３２０は中間周波数（ＩＦ）信号を発生させるため、入ってくるＲＦ信号をダウンコンバートする。チューナ３２０のＩＦ出力は、例えばデジタル伝送ストリームであり得るベースバンド信号を発生させるため、ＩＦプロセッサ３２５により更にダウンコンバートされる。ＭＰＥＧ復号器３３０は、ＭＰＥＧ符号化データストリームなどの少なくとも一つの基本的なストリームを伝送ストリームから採取する多重分離回路を有することができる。次にＭＰＥＧ復号器３３０は、符号化されたＭＰＥＧデータストリームを変換し、ディスプレイ装置３１５により表示されることが可能な標準アナログベースバンドビデオ信号を発生させる。
【００２５】
しかし、ＭＰＥＧ復号器３３０により発生させられるビデオ信号の品質を更に向上させるため、ＭＰＥＧ復号器３３０の出力が追加の処理のためポストプロセシング回路３４０に転送される。ポストプロセシング回路３４０の出力における改良されたビデオ信号は、次にディスプレイ装置３１５へ伝送される。ポストプロセシング回路３４０は幾つかの異なった種類のビデオ信号処理を実行することができる。ポストプロセシング回路３４０により実行される例示的なビデオ信号処理機能は、ノイズ低減アルゴリズム、倍率変更、スキャン速度変換、適応的な機能強化、ＭＰＥＧ非ブロック化、及び、他の適応的なオブジェクトに基づいたアルゴリズムを包含することができる。
【００２６】
フレームバッファ３５０はＭＰＥＧ復号器３３０の出力からの個別の画像フレームをキャプチャする。フレームはＲＡＭメモリの選択された部分に一時的に記憶される。カラー補正コントローラ３６０は、キャプチャされたフレームをスキャンし、キャプチャされたフレームのピクセルデータを一覧表３７０に記憶された既知のアイコンの対応するピクセルデータと比較する。カラー補正コントローラ３６０は既知のアイコンを識別し、キャプチャされたフレームから決定された実際のカラーを、アイコンの記憶された既知の真のカラーと比較する。カラー補正コントローラ３６０は、次に、表示されたアイコンの実際のカラーの補正係数を決定し、（オプションとして、）ビデオ画像中の他のカラーのカラー補正係数を決定するために既知のアイコンのカラーのカラー補正係数を推定する。カラー補正係数又は補正されたフレームは、次に、ポストプロセシング回路３４０に送られる。そして全面的に処理されたフレームがディスプレイ３１５へ送られる。
【００２７】
技術的に良く知られているように、ビデオ画像信号はアナログ又はデジタルの形で伝送されることができる。信号は、放送アンテナ、テレビケーブル、及び、ＣＤ−ＲＯＭ又はデジタルビデオディスクなどのデジタル的に記憶された媒体による方法を包含する異なった方法により伝送される。信号は、アナログのテレビ受信機、デジタルのテレビ受信機、ビデオカセットレコーダ、及び、ＣＤ又はＤＶＤプレイヤー等により受信されることができる。このとき信号は、処理された信号をディスプレイへ送る前に本発明により処理されることができる。
【００２８】
図４は、本発明の原理によるカラー補正操作を説明する高度なフローチャートである。この工程は、ビデオストリームがテレビ受信機又はビデオアプリケーションのＭＰＥＧ復号器により受信されるところを示すステップ４０５から開始する（図３のブロック図を参照のこと）。個別のビデオフレームが復号器の出力からキャプチャされ、フレームバッファに記憶される。工程は、カラー補正コントローラ３６０が記憶されたビデオフレーム中で既知のアイコンを探してスキャンするところを示すステップ４１０へ続く。検知された形状のピクセルデータは、既知のアイコン及び真のカラーの一覧表に記憶された既知のアイコンのピクセルデータと比較される。工程は、フレーム中に検知可能なアイコンが存在するかを決定するところを示すステップ４１３へ進む。なければこの工程はステップ４０５へ戻り、工程は継続される。一致があれば、この工程は、カラー補正コントローラ３６０が、既知のアイコンの真のカラーをキャプチャされたフレームの検知されたアイコンの実際の色と比較するところを示すステップ４１５へ進む。
【００２９】
次に工程は、カラー補正アプリケーション２４０が、フレーム中に検知されたアイコンにカラー補正係数が必要であるかを決定するステップ４２０へ進む。オプションとして、検知されたアイコンのカラーを基線として用い、カラー補正アプリケーション２４０はフレーム中の他のカラーを補正するのに必要な係数を決定することができる。次に工程は、カラー補正コントローラ３６０がポストプロセシング回路３４０へカラー補正係数又はカラーが補正されたフレームを送るところを示すステップ４２５へ進む。工程は、新しい既知のアイコンが引き続きのフレーム中で識別されるまで、引き続きのフレームにカラー補正係数を適用するところを示すステップ４３０へ進む。工程はステップ４０５へ戻り、工程は継続される。
【００３０】
本発明は詳細に説明されたが、当業者は、この形の本発明の精神及び範囲から離れることなく種々の変形、置換及び改変を行うことができるということを理解すべきである。
【図面の簡単な説明】
【図１】本発明の一つの実施例による、ビデオ画像のカラーを補正することができる例示的な処理システムのブロック図。
【図２】本発明の一つの実施例による、例示的な処理システムのメモリのコンテンツの図。
【図３】本発明の一つの実施例によるカラー補正装置を含む例示的なテレビ受信機のブロック図。
【図４】本発明の原理によるカラー補正操作を説明するフローチャート。
【国際公開パンフレット】
2004515975.tif 000002
2004515975.tif 000003
2004515975.tif 000004
2004515975.tif 000005
2004515975.tif 000006
2004515975.tif 000007
2004515975.tif 000008
2004515975.tif 000009
2004515975.tif 000010
2004515975.tif 000011
2004515975.tif 000012
2004515975.tif 000013
2004515975.tif 000014
2004515975.tif 000015
2004515975.tif 000016
2004515975.tif 000017
2004515975.tif 000018
【国際公開パンフレット（コレクトバージョン）】
2004515975.tif 000019
【国際公開パンフレット（コレクトバージョン）】
2004515975.tif 000020
【国際調査報告】
2004515975.tif 000021
2004515975.tif 000022
2004515975.tif 000023
2004515975.tif 000024
2004515975.tif 000025
2004515975.tif 000026